(57)【要約】      （修正有）【課題】地域住民のニーズに沿った出店の支援をネットワーク上で実現する手段の提供。【解決手段】特定地域におけるニーズ情報の募集（Ｓ１）に対し、ニーズ情報提供者は、ユーザー登録後（Ｓ２１）、書き込みニーズ情報サイトにニーズ情報の書き込みを行い、その書き込みニーズ情報は、一般利用者に公開される（Ｓ２３）。出店予定者は、そのニーズ情報を見て、より詳細な情報を取得したい場合、意見交換の申し込みを行い（Ｓ５１）、入金後、ニーズ情報提供者及び出店予定者のみが閲覧・書き込みできる意見交換情報サイト上で、意見交換を行う（Ｓ５５、Ｓ５６）。これにより、地域住民は、自分たちのニーズ・着想と適合した店舗の出店を促すことができ、出店予定者は、住民のニーズに沿って新規店舗を出店できるため、事業を軌道に乗せやすい。即ち、本発明により、地域住民のニーズに沿った出店の支援をネットワーク上で実現できる。【選択図】図２
2013175114.tif 000002
【特許請求の範囲】
【請求項１】
出店希望業種及び出店希望地を含むニーズ情報を提供するニーズ情報提供者の情報端末、及び、特定地域での出店を予定する出店予定者の情報端末が通信ネットワークを介して接続可能な出店支援システムであって、
サーバーコンピュータ内に、特定地域におけるニーズ情報の募集情報データ、及び、前記ニーズ情報提供者から受信した書き込みニーズ情報データが、一般利用者が閲覧可能な状態で格納され、かつ、サーバーコンピュータ内に、前記ニーズ情報提供者の一部又は全員、及び、前記出店予定者から受信した書き込み意見交換情報データが、許可された者のみが閲覧可能な状態で格納され、
ユーザー登録を行った前記ニーズ情報提供者に対し、ニーズ情報提供用ログイン情報を送信するニーズ情報提供用ログイン情報送信部と、
前記ニーズ情報提供用ログイン認証により受信が許可された場合に、前記ニーズ情報提供者からニーズ情報を新たに受信するとともに、前記サーバーコンピュータ内の書き込みニーズ情報データを、新たに受信したニーズ情報を追加した内容に更新するニーズ情報データ更新部と、
前記出店予定者から送信された、前記ニーズ情報提供者との意見交換の申し込みを受信する申し込み受信部と、該申し込みを受信した後、前記情報提供を行ったニーズ情報提供者の一部又は全員及び前記出店予定者に対し、ログイン情報を送信する意見交換用ログイン情報送信部と、
前記意見交換用ログイン認証により、前記意見交換情報データへのアクセスを許可する意見交換用ログイン認証部と、
前記意見交換用ログイン認証により受信が許可された場合に、前記意見交換用ログイン情報を取得したニーズ情報提供者又は出店予定者から意見交換情報を新たに受信するとともに、前記サーバーコンピュータ内の意見交換情報データを、該ニーズ情報提供者又は出店予定者から新たに受信した意見交換情報を追加した内容に更新する意見交換情報データ更新部と、
を備えた出店支援システム。
【請求項２】
前記サーバーコンピュータ内に、ニーズ情報提供者一覧データが、一般利用者が閲覧可能な状態で格納され、
前記ニーズ情報を新たに受信した際に、前記ニーズ情報提供者一覧データを、該ニーズ情報提供者を追加した内容に更新するニーズ情報提供者一覧更新部を備えた請求項１記載の出店支援システム。
【請求項３】
前記出店予定者が前記ニーズ情報提供者との意見交換の申し込みを行う際に、意見交換を行う希望人数を指定できる構成、及び／又は、前記ニーズ情報提供者一覧の中から、意見交換を希望する一又は複数のニーズ情報提供者を選択できる構成にした請求項２記載の出店支援システム。
【請求項４】
前記意見交換が終了した後、前記出店予定者より、前記意見交換を行った各ニーズ情報提供者への評価情報を受信する評価情報受信部を備えた請求項１〜３のいずれか一項記載の出店支援システム。
【請求項５】
前記出店予定者が実際に出店したことを一般利用者が確認した場合に該一般利用者より送信される出店確認情報を受信する出店確認情報受信部と、該出店確認情報の受信回数を集計する出店確認情報回数集計部と、を備え、
前記出店確認情報回数が設定回数に達した場合に、該出店した店舗の情報と前記ニーズ情報提供者によって書き込まれたニーズ情報とが関連付けられてウエブサイト上に公開される構成にした請求項１〜４のいずれか一項記載の出店支援システム。
【請求項６】
前記サーバーコンピュータ内に、前記ニーズ情報提供者によって書き込まれた各ニーズ情報に対する賛同数データが、一般利用者が閲覧可能な状態で格納され、
前記各ニーズ情報に前記一般利用者が賛同する場合に前記一般利用者によって送信される賛同情報を受信する賛同情報受信部と、該賛同情報に基づいて新たな賛同数を集計し、前記格納された賛同数データを更新する賛同数集計部とを備えた請求項１〜５のいずれか一項記載の出店支援システム。
【請求項７】
特定地域におけるニーズ情報の募集情報をウエブサイト上に公開するステップと、
前記ニーズ情報を提供するニーズ情報提供者からユーザー登録情報を受信するステップと、ユーザー登録手続を行った前記ニーズ情報提供者に対しニーズ情報提供用ログイン情報を送信するステップと、
ニーズ情報提供用ログイン認証により受信が許可された場合に、前記ニーズ情報提供者から、出店希望業種及び出店希望地を含むニーズ情報を受信し、受信した書き込みニーズ情報をウエブサイト上に公開するステップと、
ニーズ情報提供用ログイン認証により受信が許可された場合に、同一又は他のニーズ情報提供者から前記ニーズ情報を新たに受信するとともに、ウエブサイト上に公開された書き込みニーズ情報を、新たに受信したニーズ情報を追加した内容に更新するステップと、
特定地域での出店を予定する出店予定者から送信された、前記ニーズ情報提供者との意見交換の申し込みを受信するステップと、申し込みを受信した後、前記ニーズ情報提供者の一部又は全員、及び、前記出店予定者に対し、意見交換用ログイン情報を送信するステップと、
前記意見交換用ログイン認証により、前記意見交換情報データへのアクセスを許可するステップと、
意見交換用ログイン認証により受信が許可された場合に、前記意見交換用ログイン情報を取得したニーズ情報提供者又は出店予定者から意見交換情報を受信するとともに、該ニーズ情報提供者又は出店予定者から受信した書き込み意見交換情報を、許可された者のみが閲覧可能な状態でウエブサイト上に公開するステップと、
意見交換用ログイン認証により受信が許可された場合に、前記意見交換用ログイン情報を取得したニーズ情報提供者又は出店予定者から意見交換情報を新たに受信するとともに、前記書き込み意見交換情報を、前記ニーズ情報提供者又は出店予定者から新たに受信した意見交換情報を追加した内容に更新するステップと、
を少なくとも含む出店支援方法。
【請求項８】
ニーズ情報を新たに受信した際に、ウエブサイト上に予め作成されたニーズ情報提供者一覧を、前記ニーズ情報提供者を追加した内容に更新するステップを含む請求項７記載の出店支援方法。
【請求項９】
前記出店予定者が前記ニーズ情報提供者との意見交換の申し込みを行う際に、意見交換を行う希望人数を指定できる構成、及び／又は、前記ニーズ情報提供者一覧の中から、意見交換を希望する一又は複数のニーズ情報提供者を選択できる構成にした請求項８記載の出店支援方法。
【請求項１０】
前記意見交換が終了した後、前記出店予定者より、前記意見交換を行った各ニーズ情報提供者への評価情報を受信するステップを含む請求項７〜９のいずれか一項記載の出店支援方法。
【請求項１１】
前記出店予定者が実際に出店したことを一般利用者が確認した場合に該一般利用者より送信される出店確認情報を受信するステップと、該出店確認情報の受信回数を集計するステップと、
前記出店確認情報回数が設定回数に達した場合に、該出店した店舗の情報と前記ニーズ情報提供者によって書き込まれたニーズ情報とを関連付けてウエブサイト上に公開するステップを含む請求項７〜１０のいずれか一項記載の出店支援方法。
【請求項１２】
前記ニーズ情報提供者によって書き込まれた各ニーズ情報に前記一般利用者が賛同する場合に前記一般利用者によって送信された賛同情報を受信するステップと、
該賛同情報に基づいて新たな賛同数データを集計し、予めウエブサイト上に公開された前記ニーズ情報提供者によって書き込まれた各ニーズ情報に対する賛同数データを更新するステップと、を含む請求項７〜１１のいずれか一項記載の出店支援方法。
【発明の詳細な説明】
【技術分野】
【０００１】
本発明は、ニーズ情報提供者から提供された出店希望業種及び出店希望地を含むニーズ情報をウエブサイト上に公開するとともに、特定地域で出店を予定する出店予定者に対しより詳細なニーズ情報を提供し、当該地域での出店を支援するための出店支援システム及び出店支援方法などに関連する。
【背景技術】
【０００２】
ある地域に新規店舗などを出店する場合、一般的に、マーケティング調査などを行い、どの場所で出店するかの最終的な決定を行うことが多い。例えば、出店候補地の人口・世代分布・通行人数・市場規模などを分析したり、競合店の有無・位置などを調査したりし、それらの情報に基づいて来客人数や売上高などを試算し、出店の決定を行う。
【０００３】
しかし、それらの調査は出店予定者の側で行ったものであるため、調査結果がその地域の住民のニーズを必ずしも反映しておらず、実際に出店してみると、想定の売上に達しない場合も多い。また、例えば、小規模・少人数で事業を開始しようとしている場合は、マーケティング調査に充分な時間・費用を費やすことができないため、精度の高い調査結果を得ること自体が難しい。
【０００４】
一方、その地域の住民にとっては、多くの場合、自分の住んでいる地域に種々多様な店舗が出店し、街全体が活性化される方が好ましいと考えている。
【０００５】
各住民は、日常生活での体験や実感などから、それぞれ、その地域のどの辺りにどのような店舗が出店して欲しいなどのニーズを有している場合も多く、また、地元で生活することで得られる着想を有している場合も多いが、実際の出店状況をみると、自分たちのニーズ・着想と適合しない場合も多い。
【０００６】
それらの住民のニーズ情報に沿って新規店舗を出店できれば、出店予定者の側では、事業を軌道に乗せやすくなり、住民の側でも、生活の質・満足度を向上できる。
【０００７】
なお、特許文献１には、一般ユーザーの属性情報及び出店希望地を含むニーズ情報を入力するための入力画面をネットワーク上に公開し、一般ユーザーから入力を受け付ける一般ユーザー登録手段と、該一般ユーザー登録手段に入力された各情報を収集するニーズ情報収集手段とから構成されるニーズ情報収集システムが記載されている。
【特許文献１】特開２００８−２６９４９３号公報
【発明の開示】
【発明が解決しようとする課題】
【０００８】
上記の通り、地域住民のニーズ情報に沿って新規店舗を出店できれば、出店予定者・住民の双方にとって有利性が高い。そこで、本発明は、地域住民のニーズに沿った出店の支援を通信ネットワーク上で実現しうる手段を提供することなどを目的とする。
【課題を解決するための手段】
【０００９】
本発明では、出店希望業種及び出店希望地を含むニーズ情報を提供するニーズ情報提供者の情報端末、及び、特定地域での出店を予定する出店予定者の情報端末が通信ネットワークを介して接続可能な出店支援システムであって、サーバーコンピュータ内に、特定地域におけるニーズ情報の募集情報データ、及び、前記ニーズ情報提供者から受信した書き込みニーズ情報データが、一般利用者が閲覧可能な状態で格納され、かつ、サーバーコンピュータ内に、前記ニーズ情報提供者の一部又は全員、及び、前記出店予定者から受信した書き込み意見交換情報データが、許可された者のみが閲覧可能な状態で格納され、ユーザー登録を行った前記ニーズ情報提供者に対し、ニーズ情報提供用ログイン情報を送信するニーズ情報提供用ログイン情報送信部と、前記ニーズ情報提供用ログイン認証により受信が許可された場合に、前記ニーズ情報提供者からニーズ情報を新たに受信するとともに、前記サーバーコンピュータ内の書き込みニーズ情報データを、新たに受信したニーズ情報を追加した内容に更新するニーズ情報データ更新部と、前記出店予定者から送信された、前記ニーズ情報提供者との意見交換の申し込みを受信する申し込み受信部と、該申し込みを受信した後、前記情報提供を行ったニーズ情報提供者の一部又は全員及び前記出店予定者に対し、ログイン情報を送信する意見交換用ログイン情報送信部と、
前記意見交換用ログイン認証により、前記意見交換情報データへのアクセスを許可する意見交換用ログイン認証部と、前記意見交換用ログイン認証により受信が許可された場合に、前記意見交換用ログイン情報を取得したニーズ情報提供者又は出店予定者から意見交換情報を新たに受信するとともに、前記サーバーコンピュータ内の意見交換情報データを、該ニーズ情報提供者又は出店予定者から新たに受信した意見交換情報を追加した内容に更新する意見交換情報データ更新部と、を備えた出店支援システム、及び、それに関連する出店支援方法を提供する。
【００１０】
このシステムでは、まず、このシステムの管理者が、特定地域におけるニーズ情報の募集情報をウエブサイト上に公開する。管理者側で予め募集するニーズ情報を設定することにより、整理された状態を保持して情報を蓄積できるため、一般利用者側が提供したい情報や一般利用者又は出店予定者側が知りたい情報に比較的簡易にアクセスできる。
【００１１】
次に、ニーズ情報を提供するニーズ情報提供者にユーザー登録を要求する。管理者は、ユーザー登録を行ったニーズ情報提供者に対し、ログイン情報を送信する。ニーズ情報提供者は、ニーズ情報提供用ログイン認証により送信の許可を受けた後、ニーズ情報を送信する。サーバーコンピュータでは、ニーズ情報提供者から新たに受信したニーズ情報を追加した内容に更新しながら、書き込みニーズ情報をウエブサイト上に公開する。
【００１２】
この書き込みニーズ情報サイトは、一般利用者及び出店予定者が自由に閲覧できる。従って、出店予定者は、このウエブサイト上での書き込みを無料で自らの出店計画の参考にすることができ、また、このウエブサイト上での書き込みを判断材料として、より詳細なニーズ情報を取得するために、ニーズ情報提供者との意見交換の申し込みを行うかどうか、検討できる。
【００１３】
一方、書き込みニーズ情報サイトへのニーズ情報の書き込みは、ユーザー登録を行った者のみが行うことができる。管理者側がニーズ情報提供者に関する情報を予め取得することにより、例えば、ニーズ情報提供者と出店予定者との意見交換のマッチングを行う際や、実際に出店に成功した場合にニーズ情報提供者へその報酬を付与する際などに、ニーズ情報提供者の選定・特定を行うことができる。
【００１４】
次に、特定地域での出店を予定する出店予定者は、ウエブサイト上で書き込みニーズ情報を閲覧し、より詳細なニーズ情報を知りたい場合に、管理者に対し、ニーズ情報提供者との意見交換の申し込みを行う。その際、意見交換を行う希望人数を指定したり、ニーズ情報提供者の中から、意見交換を希望する一又は複数のニーズ情報提供者を選択したりしてもよい。また、この意見交換の申し込みの時点で出店予定者に対し、料金が発生する構成にしてもよい。
【００１５】
管理者は、情報提供者の一部又は全員、及び、出店予定者に対し、意見交換用ログイン情報を送信する。意見交換用ログイン情報を取得した情報提供者又は出店予定者に対し、意見交換情報サイトの閲覧が許可される。意見交換情報サイトは許可された者のみが閲覧可能なサイトであり、一般利用者などに対しては非公開である。
【００１６】
意見交換用ログイン情報を取得した情報提供者又は出店予定者は、意見交換用ログイン認証により送信の許可を受けた後、意見交換情報を送信する。サーバーコンピュータでは、情報提供者又は出店予定者から新たに受信した意見交換情報を追加した内容に更新しながら、意見交換用ログイン情報を取得した者のみが閲覧可能な状態で意見交換情報をウエブサイト上に公開する。
【００１７】
この意見交換情報サイトでは、ニーズ情報提供者と出店予定者の双方が書き込みを行うことができるため、出店予定者は、例えば、ニーズ情報提供者に対して質問するような形で、有益かつ詳細なニーズ情報を取得できる。
【００１８】
このシステムでは、意見交換が終了した後、出店予定者が、意見交換を行った各ニーズ情報提供者に対し評価を行う構成にしてもよい。例えば、有益なニーズ情報を提供した者に対し、この評価結果に基づいて報酬を付与する構成にすることにより、ニーズ情報提供者にとって、より有益なニーズ情報又は意見交換情報を提供するための動機となり、書き込みニーズ情報サイト及び意見交換情報サイトの内容の充実を図ることができる。
【００１９】
また、このシステムでは、出店予定者が実際に出店した際に、店舗情報とニーズ情報提供者によって書き込まれたニーズ情報とが関連付けてウエブサイト上に公開する構成にしてもよい。
【００２０】
このシステムは、地域住民、出店予定者、システム管理者の三者にとって有利性の高いシステムである。
【００２１】
即ち、地域住民にとっては、自分たちのニーズ・着想を公表する場が与えられ、かつ自分たちのニーズ・着想と適合した店舗の出店を促すことができるため、生活の質・満足度を向上できる。また、有益なニーズ情報を提供し、実際に出店に成功した際には、出店予定者の評価に基づき、報酬が付与される。
【００２２】
出店予定者にとっては、事前のマーケティング調査を簡易化、低廉化、又は省略でき、地域住民のニーズに沿った形での出店も可能になる。また、住民のニーズ情報に沿って新規店舗を出店できるため、事業を軌道に乗せやすく、出店後の地域住民の応援・支持も受けやすい。さらに、このシステムにより出店に成功した場合には、そのことがウエブサイト上に公開されるため、宣伝効果も高い。
【００２３】
管理者にとっては、出店予定者からニーズ情報提供者との意見交換の申し込みを受けた際にその段階で課金することができる。また、実際に出店に成功した際にニーズ情報提供者に対して報酬を付与する構成にすることができるため、ウエブサイトの内容の充実及びニーズ情報の信頼性の向上を図ることができ、同サイトへのアクセス数の増加を図ることもできる。
【００２４】
なお、本発明において、「出店」の文言は、ある業種を営業する店舗の出店のほか、ある施設・支店・事務所などの誘致・開業など、ある地域の住民がその地域に新たにできることにより、生活や利便性などを向上できると感じうるものをすべて包含する。同様に、「店舗」の文言も、出店する店舗のほか、誘致・開業する施設・支店・事務所など、ある地域の住民がその地域に新たにできることにより、生活や利便性などを向上できると感じうる業態のものをすべて包含する。
【発明の効果】
【００２５】
本発明により、地域住民のニーズに沿った出店の支援を通信ネットワーク上で実現できる。
【発明を実施するための最良の形態】
【００２６】
以下、本発明の実施形態の例を示す。なお、本発明は、これらの実施形態のみに狭く限定されない。
【００２７】
＜本発明に係る出店支援システムについて＞
本発明に係る出店支援システムは、出店希望業種及び出店希望地を含むニーズ情報を提供するニーズ情報提供者の情報端末、及び、特定地域での出店を予定する出店予定者の情報端末が通信ネットワークを介して接続可能な出店支援システムであって、サーバーコンピュータ内に、特定地域におけるニーズ情報の募集情報データ、及び、前記ニーズ情報提供者から受信した書き込みニーズ情報データが、一般利用者が閲覧可能な状態で格納され、かつ、サーバーコンピュータ内に、前記ニーズ情報提供者の一部又は全員、及び、前記出店予定者から受信した書き込み意見交換情報データが、許可された者のみが閲覧可能な状態で格納され、ユーザー登録を行った前記ニーズ情報提供者に対し、ニーズ情報提供用ログイン情報を送信するニーズ情報提供用ログイン情報送信部と、前記ニーズ情報提供用ログイン認証により受信が許可された場合に、前記ニーズ情報提供者からニーズ情報を新たに受信するとともに、前記サーバーコンピュータ内の書き込みニーズ情報データを、新たに受信したニーズ情報を追加した内容に更新するニーズ情報データ更新部と、前記出店予定者から送信された、前記ニーズ情報提供者との意見交換の申し込みを受信する申し込み受信部と、該申し込みを受信した後、前記情報提供を行ったニーズ情報提供者の一部又は全員及び前記出店予定者に対し、ログイン情報を送信する意見交換用ログイン情報送信部と、前記意見交換用ログイン認証により、前記意見交換情報データへのアクセスを許可する意見交換用ログイン認証部と、前記意見交換用ログイン認証により受信が許可された場合に、前記意見交換用ログイン情報を取得したニーズ情報提供者又は出店予定者から意見交換情報を新たに受信するとともに、前記サーバーコンピュータ内の意見交換情報データを、該ニーズ情報提供者又は出店予定者から新たに受信した意見交換情報を追加した内容に更新する意見交換情報データ更新部と、を備えたものをすべて包含する。以下、図１を用いて説明する。なお、本発明は、図１に示したもののみに狭く限定されない。
【００２８】
図１は、本発明に係る出店支援システムのシステム構成の例を示す図である。
【００２９】
図１の出店支援システムＡでは、出店希望業種及び出店希望地を含むニーズ情報を提供するニーズ情報提供者の情報端末１１、及び、特定地域での出店を予定する出店予定者の情報端末１２が通信ネットワーク１３を介して接続可能な管理者のサーバーコンピュータ２により構成されている。なお、サーバーコンピュータ２は、全構成要素が一台のコンピュータに装備されている場合と、複数のコンピュータに構成要素の一部が分かれて装備され、各コンピュータが相互に接続されている場合の両方を包含する。
【００３０】
サーバーコンピュータ２は、例えば、通信ネットワーク１３と接続し、データの送受信を行う通信部２１、並びにＣＰＵ２２、記憶部２３、入力部２４、表示部２５などを備えた構成にする。
【００３１】
サーバーコンピュータ２内には、特定地域におけるニーズ情報の募集情報データ３１、ニーズ情報提供者から受信した書き込みニーズ情報データ４１、ニーズ情報提供者一覧データ５１、ニーズ情報提供者によって書き込まれた各ニーズ情報に対する賛同数データ６１、ニーズ情報提供者の一部又は全員、及び、出店予定者から受信した書き込み意見交換情報データ７１が格納されている。
【００３２】
また、図１のサーバーコンピュータ２は、ニーズ情報提供者のユーザー登録情報データを格納するユーザー情報データベース４２と、ユーザー登録を行ったニーズ情報提供者に対し、ニーズ情報提供用ログイン情報を送信するニーズ情報提供用ログイン情報送信部４３と、ニーズ情報提供の際のログイン認証を行うニーズ情報提供用ログイン認証部４４と、ニーズ情報提供用ログイン認証により受信が許可された場合に、ニーズ情報提供者からニーズ情報を新たに受信するとともに、サーバーコンピュータ内の書き込みニーズ情報データ４１を、新たに受信したニーズ情報を追加した内容に更新するニーズ情報データ更新部４５と、ニーズ情報を新たに受信した際に、ニーズ情報提供者一覧データ５１を、該ニーズ情報提供者を追加した内容に更新するニーズ情報提供者一覧更新部５２と、各ニーズ情報に一般利用者が賛同する場合に一般利用者によって送信される賛同情報を受信する賛同情報受信部６２と、該賛同情報に基づいて新たな賛同数を集計し、サーバーコンピュータ２内に格納された賛同数データ６１を更新する賛同数集計部６３と、出店予定者から送信された、ニーズ情報提供者との意見交換の申し込みを受信する申し込み受信部７２と、該申し込みを受信した後、情報提供を行ったニーズ情報提供者の一部又は全員及び出店予定者に対し、ログイン情報を送信する意見交換用ログイン情報送信部７３と、前記出店予定者からの入金情報を管理する入金情報管理部７４と、意見交換用ログイン認証により、意見交換情報データへのアクセスを許可する意見交換用ログイン認証部７５と、意見交換用ログイン認証により受信が許可された場合に、意見交換用ログイン情報を取得したニーズ情報提供者又は出店予定者から意見交換情報を新たに受信するとともに、サーバーコンピュータ２内の意見交換情報データ７１を、該ニーズ情報提供者又は出店予定者から新たに受信した意見交換情報を追加した内容に更新する意見交換情報データ更新部７６と、意見交換の回数又は期間を管理する意見交換管理部７７と、意見交換が終了した後、出店予定者より、意見交換を行った各ニーズ情報提供者への評価情報を受信する評価情報受信部８１と、評価結果に基づいてニーズ情報提供者に対する報酬を決定する報酬決定部８２と、出店予定者が実際に出店したことを一般利用者が確認した場合に該一般利用者より送信される出店確認情報を受信する出店確認情報受信部９１と、該出店確認情報の受信回数を集計する出店確認情報回数集計部９２と、該集計で出店確認情報回数が設定回数に達した場合に、広告許可情報の送信する広告許可情報送信部９３と、該広告許可情報に対し、出店者が送信した店舗情報を受信する出店者店舗情報受信部９４と、該店舗情報とニーズ情報提供者によって書き込まれたニーズ情報とを関連付けてウエブサイト上に公開する店舗情報公開部９５と、を備える。
【００３３】
募集情報データ３１は、システム管理者が一般利用者に対して行う情報募集に関するデータであり、一般利用者が閲覧可能な状態で格納され、ウエブサイト上に公開される。例えば、路線ごと、町名ごとなど、特定のエリア内における出店希望地、及び、その場所における出店希望業種を特定できるように開示するとともに、その地域・業種におけるニーズ情報、例えば、どの地域・領域にどのような店舗があった方がよいかなどのニーズ、ある地域・領域などにこのような店舗があるとより便利な可能性があるなどの着想、その地域住民でしか知りえない出店状況や地勢的・社会的環境などに関する口コミ情報などをウエブサイト上で広く募集する。
【００３４】
上記の通り、管理者側で予め募集するニーズ情報を設定することにより、整理された状態を保持して情報を蓄積できるため、一般利用者側が提供したい情報や一般利用者又は出店予定者側が知りたい情報に比較的簡易にアクセスできる。
【００３５】
書き込みニーズ情報データ４１は、ウエブサイト上での情報募集に対し、ニーズ情報提供者により書き込まれたニーズ情報であり、一般利用者が閲覧可能な状態で格納され、ウエブサイト上の書き込みニーズ情報サイトに公開され、ニーズ情報提供者の書き込みにより、更新される。
【００３６】
書き込みニーズ情報サイトへの書き込みを行う場合、ニーズ情報提供者は、ユーザー登録を行う必要がある。ユーザー登録は、例えば、居住地域、電子メールアドレス、ハンドルネームなどを管理者サーバーに送信して行う。
【００３７】
上記の通り、管理者側がニーズ情報提供者に関する情報を予め所得することにより、例えば、ニーズ情報提供者と出店予定者との意見交換のマッチングを行う際や、実際に出店に成功した場合にニーズ情報提供者へその報酬を付与する際などに、ニーズ情報提供者の選定・特定を行うことができる。
【００３８】
ニーズ情報提供者がユーザー登録を行うと、そのユーザー登録情報は、ユーザー情報データベース４２に格納され、保管されるとともに、ニーズ情報提供用ログイン情報送信部４３は、ユーザー登録を行ったニーズ情報提供者に対し、ニーズ情報提供用ログイン情報を送信する。
【００３９】
ニーズ情報提供用ログイン認証部４４では、ニーズ情報提供者からニーズ情報を受信する際にログイン認証を行う。ログイン認証の方法は、公知の方法、例えば、ニーズ情報提供用ログイン情報送信の際に、予めID及びパスワードを送信しておき、ログイン認証の際に、そのID及びパスワードとサーバーコンピュータ内の認証データを照合し、一致した場合にアクセスの許可を行う方法を採用できる。
【００４０】
ニーズ情報データ更新部４５は、ニーズ情報提供用ログイン認証によりアクセスを許可した場合に、ニーズ情報提供者からニーズ情報を新たに受信するとともに、サーバーコンピュータ内の書き込みニーズ情報データ４１を、新たに受信したニーズ情報を追加した内容に更新する。これにより、書き込みニーズ情報サイトの書き込みが随時更新される。なお、ニーズ情報が書き込まれた際に、その情報がまず管理者に送信され、管理者がその内容を確認・整理し、公開内容を選別した上で、サーバーコンピュータ内の書き込みニーズ情報データ４１を、その整理・選別したニーズ情報を追加した内容に更新する構成にしてもよい。
【００４１】
ニーズ情報提供者一覧データ５１は、書き込みニーズ情報サイトへの書き込みを行った者の一覧であり、一般利用者が閲覧可能な状態で格納され、ウエブサイト上に公開される。例えば、ウエブサイト上の所定の位置に、書き込みニーズ情報サイトへの書き込みを行った者のハンドルネームの一覧を掲載する。この情報は、例えば、出店予定者が意見交換の申し込みを行う際において、ニーズ情報提供者の中から、意見交換を希望するニーズ情報提供者を選択する時に利用できる。
【００４２】
ニーズ情報提供者一覧更新部５２は、ニーズ情報を新たに受信した際に、そのニーズ情報提供者が地域・業種が同一の書き込みニーズ情報サイトにおいて、過去に書き込みを行ったかどうかを検定した上で、過去に書き込みを行ったことのない者からの受信であった場合には、ニーズ情報提供者一覧データ５１を、該ニーズ情報提供者を追加した内容に更新する。
【００４３】
また、ニーズ情報提供者の書き込み回数を集計し、該集計数をニーズ情報提供者ごとの書き込み回数としてウエブサイト上に表示する構成にしてもよい。これにより、出店予定者が意見交換の申し込みを行う際において、ニーズ情報提供者によって提供された情報自体に加えて、その書き込み回数に基づいても、意見交換を希望するニーズ情報提供者を選択できる。その場合、例えば、ウエブサイト上のニーズ情報提供者一覧に掲載されたハンドルネームの横などにその人の書き込み数を掲載する構成にするとともに、ニーズ情報を新たに受信した際には、そのニーズ情報提供者の書き込み回数を新たに集計し、その集計した値に更新する。
【００４４】
賛同数データ６１は、ニーズ情報提供者によって書き込まれた各ニーズ情報に対する賛同数であり、一般利用者が閲覧可能な状態で格納され、ウエブサイト上に公開される。賛同情報受信部６２は、各ニーズ情報に一般利用者が賛同する場合に一般利用者によって送信される賛同情報を受信する。次に、賛同数集計部６３は、該賛同情報に基づいて新たな賛同数を集計し、サーバーコンピュータ２内に格納された賛同数データ６１を更新する。
【００４５】
出店予定者を含む一般利用者は、ウエブサイト上に公開された書き込みニーズ情報を自由に閲覧することができる。ウエブサイト上には、より詳細なニーズ情報を有料で取得できること、その際にユーザー登録が必要であることなどを合わせて開示してもよい。例えば、出店予定者が、上記事項に同意した上で、あるニーズ情報に関し、より詳細なニーズ情報などの提供を希望する場合、出店予定者は、ウエブサイト上での意見交換の申し込みを行う。
【００４６】
書き込み意見交換情報データ７１は、出店予定者がニーズ情報提供者との意見交換の申し込みを行った場合における、意見交換情報サイト上のニーズ情報提供者と出店予定者の双方の書き込みデータである。この書き込み意見交換情報データ７１は、ニーズ情報提供者の一部又は全員、及び、出店予定者から受信した情報であり、許可された者のみが閲覧可能な状態で格納され、ウエブサイト上で公開されるが、許可された者のみがアクセスを許可される。
【００４７】
申し込み受信部７２は、出店予定者から送信された、ニーズ情報提供者との意見交換の申し込みを受信する。この申し込みを受信した後、意見交換用ログイン情報送信部７３は、情報提供を行ったニーズ情報提供者の一部又は全員及び出店予定者に対し、ログイン情報を送信する。
【００４８】
ここで、出店予定者がニーズ情報提供者との意見交換の申し込みを行う際に、意見交換を行う希望人数を指定できる構成、及び／又は、上記のニーズ情報提供者一覧の中から、意見交換を希望する一又は複数のニーズ情報提供者を選択できる構成にしてもよい。
【００４９】
また、この申し込みの受信と同時に、又はこの申し込みから意見交換までの間に、出店予定者に対し、課金する構成にしてもよい。その場合、入金情報管理部７４は、出店予定者からの入金情報を管理し、サーバーコンピュータ２は、申し込み受信部７２が出店予定者からの申し込みを受信し、かつ入金情報管理部７４が入金情報を確認した場合に、意見交換用ログイン情報送信部７３が、ニーズ情報提供者の一部又は全員及び出店予定者に対し、ログイン情報を送信する。なお、課金料金の設定は、例えば、意見交換の申し込み時に指定した希望意見交換人数に基づいて行うこともできる。
【００５０】
意見交換用ログイン認証部７５は、意見交換用ログイン認証により、意見交換情報データへのアクセスを許可する。意見交換情報データ更新部７６は、意見交換用ログイン認証により受信が許可された場合に、意見交換用ログイン情報を取得したニーズ情報提供者又は出店予定者から意見交換情報を新たに受信するとともに、サーバーコンピュータ２内の意見交換情報データ７１を、該ニーズ情報提供者又は出店予定者から新たに受信した意見交換情報を追加した内容に更新する。これにより、意見交換情報サイト上において、ニーズ情報提供者と出店予定者の双方が、書き込みを行い、意見交換を行う。
【００５１】
意見交換管理部７７は、意見交換の回数又は期間を管理する。例えば、意見交換用ログイン情報を取得し、意見交換可能になった時点を意見交換開始時点とし、その時点からカウントして意見交換の回数の合計が設定回数に達した場合、若しくはその時点を基準として、意見交換を行った期間が所定の期間を経過した場合、意見交換情報サイトへの新たな書き込みを停止する。これにより、意見交換の終了時を明確にできる。
【００５２】
評価情報受信部８１は、意見交換が終了した後、出店予定者より、意見交換を行った各ニーズ情報提供者への評価情報を受信し、数値化する。例えば、各ニーズ情報提供者に対して点数を付けるなどにより、数値化された評価情報を受信する構成でもよいし、出店予定者から受信した評価情報をもとに、管理者などがその評価を数値化して入力してもよい。
【００５３】
報酬決定部８２は、評価結果に基づいてニーズ情報提供者に対する報酬を決定する。報酬として、例えば、料金の支払い、割引クーポン券の発行、ウエブサイト上での表彰などが挙げられる。報酬決定部８２は、例えば、数値化された評価情報に基づいて、自動演算により、ニーズ情報提供者の中から報酬付与者を決定したり、各支払額、割引クーポン券の発行枚数などを算定したりする。また、例えば、ウエブサイト上で表彰する場合は、報酬決定部８２が、数値化された評価情報に基づいて、貢献順位を算出するとともに、その上位者の順位及びハンドルネームを一般利用者が閲覧可能な状態で格納し、ウエブサイト上の所定の位置に掲載する。
【００５４】
上記の通り、例えば、有益なニーズ情報を提供した者に対し、この評価結果に基づいて報酬を付与する構成にすることにより、ニーズ情報提供者にとって、より有益なニーズ情報又は意見交換情報を提供するための動機となり、書き込みニーズ情報サイト及び意見交換情報サイトの内容の充実を図ることができる。
【００５５】
出店確認情報受信部９１は、出店予定者が実際に出店したことを一般利用者が確認した場合に該一般利用者より送信される出店確認情報を受信する部位である。
【００５６】
例えば、出店予定者がニーズ情報、意見交換情報に基づいて、その地域に特定の業種の出店を実際に行い、一般利用者がその地域に実際に出店されたことを確認した場合、一般利用者は、その出店確認情報をサーバーコンピュータ２に送信し、サーバーコンピュータ２内の出店確認情報受信部９１は、その出店確認情報を受信する。
【００５７】
出店確認情報受信回数集計部９２は、出店確認情報受信部９１において受信した出店確認情報の受信回数を集計し、出店確認情報受信回数が設定回数に達した場合、広告許可情報送信部９３に、広告許可情報の送信を指示する。広告許可情報送信部９３は、出店者に対し、管理者のウエブサイト上への広告掲載許可を通知するとともに、その店舗情報の返信を求める。この広告許可情報に対し、出店者がその店舗情報を返信した場合、出店者店舗情報受信部９４は、その店舗情報を受信するとともに、店舗情報公開部９５に、その出店した店舗の情報のウエブサイト上への公開を指示する。
【００５８】
店舗情報公開部９５は、前記指示に対し、出店した店舗の店舗情報とニーズ情報提供者によって書き込まれたニーズ情報とを関連付けてウエブサイト上に公開する。例えば、ウエブサイト上に、広告として、その地域の種々の店舗情報やその割引クーポン券などを予め掲載しておくとともに、店舗情報公開部９５によって店舗情報などが公開された場合に、その出店者も有料又は無料でその広告主の一員として加入できる方式にしてもよい。
【００５９】
出店者にとっては、ウエブサイト上に公開されることにより、宣伝効果を期待できる。管理者にとっては、出店成功事例をウエブサイト上に掲載することにより、このシステムの信頼性を向上させることができ、また、アクセス数の増大につなげることができる。地域住民にとっては、ニーズに沿った店舗が開店したことを知ることができ、また、自分達で誘致した店舗の情報をフォローできる。
【００６０】
その他、上記出店情報確認に関わる構成の代わりに、若しくは上記構成に加えて、例えば、意見交換後、実際に出店したかどうかの確認を、意見交換終了時から所定期間内に管理者から出店予定者に出店情報送信要求を送信し、出店予定者が実際に出店した場合に、その出店者がそれに対する返信を行い、管理者が直接出店者より出店情報を受信することにより行う構成を備えていてもよい。
【００６１】
＜本発明に係る出店支援方法について＞
本発明に係る出店支援方法は、特定地域におけるニーズ情報の募集情報をウエブサイト上に公開するステップと、前記ニーズ情報を提供するニーズ情報提供者からユーザー登録情報を受信するステップと、ユーザー登録手続を行った前記ニーズ情報提供者に対しニーズ情報提供用ログイン情報を送信するステップと、ニーズ情報提供用ログイン認証により受信が許可された場合に、前記ニーズ情報提供者から、出店希望業種及び出店希望地を含むニーズ情報を受信し、受信した書き込みニーズ情報をウエブサイト上に公開するステップと、ニーズ情報提供用ログイン認証により受信が許可された場合に、同一又は他のニーズ情報提供者から前記ニーズ情報を新たに受信するとともに、ウエブサイト上に公開された書き込みニーズ情報を、新たに受信したニーズ情報を追加した内容に更新するステップと、特定地域での出店を予定する出店予定者から送信された、前記ニーズ情報提供者との意見交換の申し込みを受信するステップと、申し込みを受信した後、前記ニーズ情報提供者の一部又は全員、及び、前記出店予定者に対し、意見交換用ログイン情報を送信するステップと、前記意見交換用ログイン認証により、前記意見交換情報データへのアクセスを許可するステップと、意見交換用ログイン認証により受信が許可された場合に、前記意見交換用ログイン情報を取得したニーズ情報提供者又は出店予定者から意見交換情報を受信するとともに、該ニーズ情報提供者又は出店予定者から受信した書き込み意見交換情報を、許可された者のみが閲覧可能な状態でウエブサイト上に公開するステップと、意見交換用ログイン認証により受信が許可された場合に、前記意見交換用ログイン情報を取得したニーズ情報提供者又は出店予定者から意見交換情報を新たに受信するとともに、前記書き込み意見交換情報を、前記ニーズ情報提供者又は出店予定者から新たに受信した意見交換情報を追加した内容に更新するステップと、少なくとも含むものをすべて包含する。また、本発明は、上記の各ステップが少なくとも全て含まれているものであればよく、例えば、上記のステップのうち複数が同時に処理される場合、一部のステップが繰り返し行われる場合、一部のステップの順序が入れ替わる場合などについても、広く包含する。以下、図２を用いて説明する。なお、本発明は、図２に示したもののみに狭く限定されない。
【００６２】
図２は、本発明に係る出店支援方法の例を示すフォロー図である。
【００６３】
図２の出店支援方法では、特定地域におけるニーズ情報の募集情報をウエブサイト上に公開するステップＳ１と、ニーズ情報を提供するニーズ情報提供者からユーザー登録情報を受信するステップＳ２１と、ユーザー登録手続を行ったニーズ情報提供者に対しニーズ情報提供用ログイン情報を送信するステップＳ２２と、ニーズ情報提供用ログイン認証により受信が許可された場合に、ニーズ情報提供者から、出店希望業種及び出店希望地を含むニーズ情報を受信し、受信した書き込みニーズ情報をウエブサイト上に公開するステップＳ２３と、ニーズ情報提供用ログイン認証により受信が許可された場合に、同一又は他のニーズ情報提供者から前記ニーズ情報を新たに受信するとともに、ウエブサイト上に公開された書き込みニーズ情報を、新たに受信したニーズ情報を追加した内容に更新するステップＳ２４と、ニーズ情報を新たに受信した際に、ウエブサイト上に予め作成されたニーズ情報提供者一覧を、前記ニーズ情報提供者を追加した内容に更新するステップＳ３と、ニーズ情報提供者によって書き込まれた各ニーズ情報に前記一般利用者が賛同する場合に前記一般利用者によって送信された賛同情報を受信するステップＳ４１と、該賛同情報に基づいて新たな賛同数データを集計し、予めウエブサイト上に公開された前記ニーズ情報提供者によって書き込まれた各ニーズ情報に対する賛同数データを更新するステップＳ４２と、特定地域での出店を予定する出店予定者から送信された、ニーズ情報提供者との意見交換の申し込みを受信するステップＳ５１と、出店予定者からの入金情報を確認するステップＳ５２と、申し込みを受信した後、ニーズ情報提供者の一部又は全員、及び、出店予定者に対し、意見交換用ログイン情報を送信するステップＳ５３と、意見交換用ログイン認証により、意見交換情報データへのアクセスを許可するステップＳ５４と、意見交換用ログイン認証により受信が許可された場合に、意見交換用ログイン情報を取得したニーズ情報提供者又は出店予定者から意見交換情報を受信するとともに、該ニーズ情報提供者又は出店予定者から受信した書き込み意見交換情報を、許可された者のみが閲覧可能な状態でウエブサイト上に公開するステップＳ５５と、意見交換用ログイン認証により受信が許可された場合に、意見交換用ログイン情報を取得したニーズ情報提供者又は出店予定者から意見交換情報を新たに受信するとともに、書き込み意見交換情報を、ニーズ情報提供者又は出店予定者から新たに受信した意見交換情報を追加した内容に更新するステップＳ５６と、意見交換の回数又は期間が設定値に到達し、意見交換が終了するステップＳ５７と、意見交換が終了した後、出店予定者より、意見交換を行った各ニーズ情報提供者への評価情報を受信するステップＳ６１と、評価結果に基づいてニーズ情報提供者に対する報酬を決定するステップＳ６２と、出店予定者が実際に出店したことを一般利用者が確認した場合に該一般利用者より送信される出店確認情報を受信するステップＳ７１と、該出店確認情報の受信回数を集計するステップＳ７２と、該集計で出店確認情報回数が設定回数に達した場合に、広告許可情報を送信するステップＳ７３と、該広告許可情報に対し、出店者が送信した店舗情報を受信するステップＳ７４と、該店舗情報とニーズ情報提供者によって書き込まれたニーズ情報とを関連付けてウエブサイト上に公開するステップＳ７５と、を含む。なお、これらの各ステップは、目的・用途などに応じて、適宜、複数が同時に処理されたり、一部が繰り返し行われたり、一部の順序が入れ替わったりする場合がある。
【００６４】
図２の出店支援方法では、まず、特定地域におけるニーズ情報の募集情報をウエブサイト上に公開する（Ｓ１）。ここでは、例えば、路線ごと、町名ごとなど、特定のエリア内における出店希望地、及び、その場所における出店希望業種を特定できるように開示するとともに、その地域・業種におけるニーズ情報、例えば、どの地域・領域にどのような店舗があった方がよいかなどのニーズ、ある地域・領域などにこのような店舗があるとより便利な可能性があるなどの着想、その地域住民でしか知りえない出店状況や地勢的・社会的環境などに関する口コミ情報などをウエブサイト上で広く募集する。
【００６５】
次に、ニーズ情報提供者に対し、ユーザー登録を要求する。管理者は、ニーズ情報を提供するニーズ情報提供者からユーザー登録情報を受信し（Ｓ２１）、ユーザー登録手続を行ったニーズ情報提供者に対しニーズ情報提供用ログイン情報を送信する（Ｓ２２）。
【００６６】
次に、ニーズ情報提供用ログイン認証により受信が許可された場合に、ニーズ情報提供者から、出店希望業種及び出店希望地を含むニーズ情報を受信し、受信した書き込みニーズ情報をウエブサイト上に公開する（Ｓ２３）。また、ニーズ情報提供用ログイン認証により受信が許可された場合に、同一又は他のニーズ情報提供者から前記ニーズ情報を新たに受信するとともに、ウエブサイト上に公開された書き込みニーズ情報を、新たに受信したニーズ情報を追加した内容に更新する（Ｓ２４）。
【００６７】
上記フローと並行して、ニーズ情報を新たに受信した際に、ウエブサイト上に予め作成されたニーズ情報提供者一覧を、前記ニーズ情報提供者を追加した内容に更新するようにしてもよい（Ｓ３）。
【００６８】
また、上記フローと並行して、ニーズ情報提供者によって書き込まれた各ニーズ情報に前記一般利用者が賛同する場合に一般利用者によって送信された賛同情報を受信し（Ｓ４１）、該賛同情報に基づいて新たな賛同数データを集計し、予めウエブサイト上に公開されたニーズ情報提供者によって書き込まれた各ニーズ情報に対する賛同数データを更新するようにしてもよい（Ｓ４２）。
【００６９】
次に、一般利用者が閲覧可能な状態でウエブサイト上に公開された書き込みニーズ情報を見て、出店予定者が、あるニーズ情報に関し、より詳細なニーズ情報などの提供を希望する場合、出店予定者は、ウエブサイト上での意見交換の申し込みを行う。
【００７０】
まず、特定地域での出店を予定する出店予定者は、ニーズ情報提供者との意見交換の申し込みを送信し、サーバーコンピュータは、ニーズ情報提供者との意見交換の申し込みを受信する（Ｓ５１）。出店予定者がニーズ情報提供者との意見交換の申し込みを行う際には、意見交換を行う希望人数を指定できる構成、及び／又は、ニーズ情報提供者一覧の中から、意見交換を希望する一又は複数のニーズ情報提供者を選択できる構成にしてもよい。
【００７１】
ニーズ情報提供者との意見交換の申し込みを受信し（Ｓ５１）、出店予定者からの入金情報を確認した場合（Ｓ５２）、ニーズ情報提供者の一部又は全員、及び、出店予定者に対し、意見交換用ログイン情報を送信する（Ｓ５３）。
【００７２】
次に、ニーズ情報提供者又は出店予定者が、書き込みニーズ情報サイトへアクセスした場合に、意見交換用ログイン認証の後、意見交換情報データへのアクセスを許可する（Ｓ５４）。そして、意見交換用ログイン認証により受信が許可された場合に、意見交換用ログイン情報を取得したニーズ情報提供者又は出店予定者から意見交換情報を受信するとともに、該ニーズ情報提供者又は出店予定者から受信した書き込み意見交換情報を、許可された者のみが閲覧可能な状態でウエブサイト上に公開する（Ｓ５５）。また、意見交換用ログイン認証により受信が許可された場合に、意見交換用ログイン情報を取得したニーズ情報提供者又は出店予定者から意見交換情報を新たに受信するとともに、書き込み意見交換情報を、ニーズ情報提供者又は出店予定者から新たに受信した意見交換情報を追加した内容に更新する（Ｓ５６）。意見交換の回数又は期間が設定値に到達した場合、意見交換を終了させる（Ｓ５７）。
【００７３】
次に、意見交換が終了した後、出店予定者より、意見交換を行った各ニーズ情報提供者への評価情報を受信し（Ｓ６１）、評価結果に基づいてニーズ情報提供者に対する報酬を決定する（Ｓ６２）。
【００７４】
次に、出店予定者が出店し、一般利用者が実際に出店したことを確認した場合、一般利用者から管理者のサーバーコンピュータに、その出店確認情報を送信してもらうようにする。管理者のサーバーコンピュータでは、一般利用者からの出店確認情報を受信し（Ｓ７１）、出店確認情報の受信回数を集計し（Ｓ７２）、その集計で出店確認情報回数が設定回数に達した場合に、広告許可情報の送信する（Ｓ７３）。
【００７５】
出店者は広告許可情報を受信し、管理者のウエブサイト上への店舗情報などの掲載を希望する場合、管理者のサーバーコンピュータに、その店舗の情報を送信する。その場合、管理者のサーバーコンピュータでは、出店者が送信した店舗情報を受信し（Ｓ７４）、その店舗情報とニーズ情報提供者によって書き込まれたニーズ情報とを関連付けてウエブサイト上に公開する（Ｓ７５）。
【００７６】
なお、以上のステップは、全て、プログラムで記述し、サーバーコンピュータなどに搭載することにより、コンピュータ上での作動が可能である。
【００７７】
この出店支援方法では、一般利用者が自由に閲覧可能なウエブサイト、即ち、公開サイトと、許可された者のみが閲覧可能なウエブサイト、即ち、非公開サイトの両方を用いる。
【００７８】
例えば、公開サイトのトップページに、ニーズ情報募集サイトＰ１を配置してもよい。例えば、ニーズ情報募集サイトＰ１において、路線ごと、町名ごとなど、特定のエリア内における出店希望地、及び、その場所における出店希望業種を特定できるように開示する。その他、例えば、広告として、その地域の種々の店舗情報やその割引クーポン券などを該ページに掲載してもよい。また、例えば、書き込みニーズ情報又は意見交換情報を利用して出店した店舗については、その店舗情報を、書き込まれたニーズ情報と関連付けられた状態でウエブサイト上に公開してもよい。
【００７９】
ニーズ情報募集サイトＰ１では、その募集した場所情報及び募集業種と関連付けられた状態で、書き込みニーズ情報サイトＰ２を配置する。
【００８０】
書き込みニーズ情報サイトＰ２には、書き込みニーズ情報を掲載する。
【００８１】
例えば、書き込みニーズ情報サイトＰ２の所定の位置に、新規書き込みボタンを配置する。そのボタンを押すと、ニーズ情報提供用ログイン画面が表示される。ニーズ情報提供用ログイン画面には、例えば、ＩＤ及びパスワードの入力スペース及びニーズ情報提供用新規登録へのリンクが表示されており、ユーザー登録済みの場合は、ＩＤ及びパスワードの入力スペースにＩＤ及びパスワードを入力・送信してログイン認証を行い、アクセスが許可された後、所定の書き込み欄にニーズ情報の書き込みを行い、送信する。書き込み情報を送信すると、書き込みニーズ情報サイトＰ２が、その書き込み情報を加えた内容に更新される。
【００８２】
ユーザー登録が行われていない場合、ニーズ情報提供用新規登録へのリンクを選択すると、ニーズ情報提供用新規登録画面が表示される。その画面で指定された情報、例えば、居住地域、電子メールアドレス、ハンドルネームなどを入力し、送信すると、ニーズ情報提供用のＩＤ及びパスワードが送信される。そのＩＤ及びパスワードを入力・送信してログイン認証を行い、アクセスが許可された後、上記と同様、ニーズ情報の書き込みを行う。
【００８３】
例えば、書き込みニーズ情報サイトＰ２の所定の位置に、ニーズ情報提供者一覧を配置し、表示してもよい。例えば、ニーズ情報の書き込みを行った者のハンドルネームをニーズ情報提供者一覧に掲載するとともに、過去に書き込みを行ったことのない者からの書き込みがあった場合には、そのニーズ情報提供者を追加した内容に更新する。また、ニーズ情報提供者一覧において、掲載された各ニーズ情報提供者の横などに、その者の書き込み回数を掲載してもよい。
【００８４】
例えば、書き込みニーズ情報サイトＰ２中、各書き込みニーズ情報の横などに、賛同ボタンを配置するとともに、賛同ボタンの近くに賛同数を表示してもよい。例えば、一般利用者がその書き込み情報に賛同する場合、その賛同ボタンを押すことにより、賛同情報がサーバーコンピュータに送信されるようにする。その賛同情報は、サーバーコンピュータ内で受信・集計され、賛同数として同サイトＰ２上に表示されるとともに、新たな賛同情報を受信した場合には、その都度、賛同数を更新する。
【００８５】
一方、非公開サイトには、意見交換情報サイトＰ３を配置する。意見交換情報サイトＰ３は、出店予定者がニーズ情報提供者との意見交換の申し込みを行った場合に意見交換を行うためのサイトで、意見交換用ログイン情報を取得した者、即ち、ニーズ情報提供者の一部又は全員及び出店予定者が、アクセスできる。
【００８６】
例えば、書き込みニーズ情報サイトＰ２内などの所定の位置に、意見交換情報サイトＰ３へのリンクを配置する。そのリンクを押すと、意見交換用ログイン画面が表示される。意見交換用ログイン画面には、例えば、ＩＤ及びパスワードの入力スペースが表示されており、意見交換を行うニーズ情報提供者又は出店予定者は、ＩＤ及びパスワードの入力スペースにＩＤ及びパスワードを入力・送信してログイン認証を行い、アクセスが許可された後、所定の書き込み欄に意見交換情報の書き込みを行い、送信する。書き込み情報を送信すると、意見交換情報サイトＰ３が、その書き込み情報を加えた内容に随時更新される。
【００８７】
意見交換終了時には、意見交換情報サイトＰ３への新たな書き込みが停止されるとともに、出店予定者のアクセスに対し、意見交換を行った各ニーズ情報提供者の評価を入力する画面が表示される。出店予定者は、その画面に各ニーズ情報提供者の評価を入力した後、その画面内の送信ボタンを押し、評価情報をサーバーコンピュータに送信する。その評価情報は、サーバーコンピュータ内で、各ニーズ情報提供者の報酬決定などに利用される。
【図面の簡単な説明】
【００８８】
【図１】本発明に係る出店支援システムのシステム構成の例を示す図。
【図２】本発明に係る出店支援方法の例を示すフォロー図。
【符号の説明】
【００８９】
１１      ニーズ情報提供者の情報端末
１２      出店予定者の情報端末
１３      通信ネットワーク
２        サーバーコンピュータ
３１      特定地域におけるニーズ情報の募集情報データ
４１      書き込みニーズ情報データ
４２      ユーザー情報データベース
４３      ニーズ情報提供用ログイン情報送信部
４４      ニーズ情報提供用ログイン認証部
４５      ニーズ情報データ更新部
５１      ニーズ情報提供者一覧データ
５２      ニーズ情報提供者一覧更新部
６１      書き込まれた各ニーズ情報に対する賛同数データ
６２      賛同情報受信部
６３      賛同数集計部
７１      書き込み意見交換情報データ
７２      申し込み受信部
７３      意見交換用ログイン情報送信部
７４      入金情報管理部
７５      意見交換用ログイン認証部
７６      意見交換情報データ更新部
７７      意見交換管理部
８１      評価情報受信部
８２      報酬決定部
９１      出店確認情報受信部
９２      出店確認情報受信回数集計部
９３      広告許可情報送信部
９４      出店者店舗情報受信部
９５      店舗情報公開部
Ａ        出店支援システム
【図１】
2013175114.tif 000003
【図２】
2013175114.tif 000004